(57)【要約】      （修正有）【課題】雨が降って傘をさすと、ベルトが傘の布の外側に垂れ下がってしまいベルトを伝って雨水が頭や体にかかってしまうという欠点があった。傘から垂れるようなことがなくなるベルトを提供する。【解決手段】傘をまとめるベルト（１）の留め具と留め具との間に可撓性の材料を用いることを特徴とする。【選択図】図１
2019098131.tif 000002
【特許請求の範囲】
【請求項１】
傘をまとめるベルトの留め具と留め具との間に可撓性の材料を用いることを特徴とする傘のベルト。
【発明の詳細な説明】
【技術分野】
【０００１】  本発明は、傘あるいは折たたみ傘をたたんだ後、傘をまとめる際に用いるベルトに関する。
【背景技術】
【０００２】  従来の傘は、不使用時、図１５に示すように傘をたたんだ後、ベルト４０により傘がまとめられている。ベルト４０は、通常傘の骨を覆い、雨を遮蔽する布あるいはビニール２と同じ材料からできている。【０００３】  特開２０１５−５４１４２号公報にあるように、図１４に示すベルト４０は、傘の軸１１に対して直交するように傘の骨を覆う布（不図示）上に縫い付けられている。ステッチ３は、ベルト１を傘の骨を覆う布に固定するためのステッチである。ベルト４０上には表面側が凹型の金具４、裏面側が凸型の金具５が設けられ、表面側が凹型の金具４及び裏面側が凸型の金具５で傘の骨を覆う布をまとめている。
【先行技術文献】
【特許文献】
【０００４】
【特許文献１】特開２０１５−５４１４２号公報
【発明の概要】
【発明が解決しようとする課題】
【０００５】  解決しようとする問題点は、図１６に示すように、雨が降って傘をさすと、ベルト４０は、傘の骨を覆う布あるいはビニール２と同じ材料を用いているので、柔らかいために、布あるいはビニール２の外側に垂れ下がってしまうことがある。ベルト４０が、傘の布あるいはビニール２の外側に垂れ下がってしまうとベルト４０を伝って雨水が頭や体にかかってしまうという欠点があった。
【課題を解決するための手段】
【０００６】  本発明は、傘をまとめるベルトに関し、該ベルトの留め具と留め具との間に可撓性の材料を用いている。可撓性の材料としては針金（針金の表面が樹脂でコーティングされていても良い）や、形状保持プラスチック線材であっても良い。留め具としては凸型の金具と凹型の金具とからなる場合であっても、マジックテープであっても良い。
【発明の効果】
【０００７】  本発明のベルトは、傘をまとめるベルトの留め具と留め具との間に可撓性の材料を用いることでベルトが傘から垂れるようなことがなくなるという利点がある。
【図面の簡単な説明】
【０００８】
【図１】  図１は、本発明の実施例１のベルトである。
【図２】  図２は、本発明の実施例１のベルトである。
【図３】  図３は、本発明の実施例１を傘に装着した図である。
【図４】  図４は、本発明の実施例１のベルトの変形例である。
【図５】  図５は、本発明の実施例１のベルトの他の変形例である。
【図６】  図６は、ビニールでコーティングされた針金の先端部にビニールチユーブを装着した図である。
【図７】  図７は、本発明の実施例２のベルトである。
【図８】  図８は、本発明の実施例３のベルトである。
【図９】  図９は、実施例３のベルトを、傘にもともとついていたベルトに装着した図である。
【図１０】  図１０は、本発明の実施例４のベルトである。
【図１１】  図１１は、図１０を説明するための従来のベルトを示す図である。
【図１２】  図１２は、本発明の実施例５のベルトである。
【図１３】  図１３は、本発明の実施例６のベルトである。
【図１４】  図１４は、従来の傘のベルトを示す図である。
【図１５】  図１５は、従来の傘をたたんだ後、ベルトにより傘がまとめられた状態を示す図である。
【図１６】  図１６は、傘を広げた状態で従来の傘の持つ欠点を説明する図である。
【発明を実施するための形態】
【０００９】  傘をまとめるベルトに関し、該ベルトの留め具と留め具との間に可撓性の材料を用いている。可撓性の材料としては針金（針金の表面が樹脂でコーティングされていても良い）や、形状保持プラスチック線材であっても良い。留め具としては凸型の金具と凹型の金具とからなる場合であっても、マジックテープであっても良い。
【実施例１】
【００１０】  図１は、本発明のベルトの実施例１である。図１に示すベルト１は、袋の形態をなし、傘を閉じた際に、傘の軸に対して直交するように傘の骨を覆う布（不図示）上に縫い付けられている。ステッチ３は、ベルト１を傘の骨を覆う布に固定するためのステッチである。ベルト１上には表面側が凹型の金具４、裏面側が凸型の金具５が設けられている。表面側が凹型の金具４の右側のステッチ７、裏面側が凸型の金具５の左側のステッチ８は、袋の形態のベルト１を、綴じるためのステッチである。ステッチ７、およびステッチ８により綴じられた袋状の中には、本実施例ではＵ字状に加工した針金６が挿入されているが可撓性の材料であれば、針金以外の平面上のものであってもよい。【００１１】  図２は、ベルト１が傘の骨を覆う布（不図示）上に設けられたベルト１が傘の骨を覆う布上に縫い付けられた部分を示す図である。ベルト１は、袋の形態をなし、傘の軸に対して直交するように傘の骨を覆う布（不図示）上に縫い付けられている。ステッチ３は、ベルト１を傘の骨を覆う布に固定するためのステッチである。ベルト１上には表面側が凹型の金具４が設けられている。表面側が凹型の金具４の左側のステッチ７は、袋の形態のベルト１を、綴じるためのステッチである。【００１２】  図３は、図２のＡ−Ａ’の断面図である。ベルト１は、袋の形態をなし、傘の軸に対して直交するように傘の骨を覆う布２上にステッチ３により縫い付けられている。ベルト１上には表面側が凹型の金具４が設けられている。表面側が凹型の金具４の左側のステッチ７は、袋の形態のベルト１を、綴じるためのステッチである。尚、図示していないがステッチ７により傘の骨を覆う布２に縫い付けられていてもよい。更に、ステッチ７が傘の骨を覆う布に縫い付けられているほうが傘を差した際にベルト１が傘の骨を覆う布２の外側に垂れ下がることが更に防止される。【００１３】  可撓性の材料としては針金以外にも、図４に示すように形状保持プラスチック線材からなる平面状の形状の部材９のようなものであってもよい。またベルト１のステッチ７とステッチ８との間に挿入される可撓性材料は、図４に示すように平面状の形状の場合一本でもよく、針金の場合、Ｕ字状以外に、図５に示すように２本であってもよい。あるいは３本以上であっても可撓性が維持される範囲であれば問題ない。【００１４】  ベルト１のステッチ７とステッチ８とは、金具４と金具５との間に挿入される可撓性材料が金具４と金具５の間から移動しないのであれば設けなくともよい。【００１５】  可撓性材料として針金を用いた場合、針金が鋼材のままであると雨に濡れ錆が発生してしまうので、樹脂等でコーティングされているほうが好ましい。図６はビニールでコーティングされた針金６の先端部は、ビニールチユーブ１２により覆われている。これにより針金の鋼材がさびることが防止される。
【実施例２】
【００１６】  図７は実施例２を示す図で、留め具にマジックテープを用いたベルト１である。ベルト１の傘の骨を覆う布（不図示）と同じ面を表とする。ベルト１と傘の骨を覆う布とはステッチ３で固定されている。ステッチ３側にマジックテープ１３が、ベルト１の裏面のステッチ３とは逆側の端部にマジックテープ１４が設けられ、マジックテープ１３とマジックテープ１４とで傘がまとめられて留められている。さらに、ベルト１内には、ステッチ３とベルト１のステッチ３の反対側との間に可撓性の材料、図７ではＵ字型の形状をした針金６が挿入されている。尚、可撓性の材料としては、針金以外にも実施例１で例示した材料を用いることができる。
【実施例３】
【００１７】  図８は実施例３を示す図である。実施例３は、従来のベルトがつけられた傘に本発明のベルトが装着できるベルトである。実施例３のベルト１８は、袋状のベルトの一方の側の、端部に裏面側が凸型の金具１５、凸型の金具１５に隣接して表面が凹型の金具１６が設けられ、凹型の金具１６の凸型の金具１５と隣接する側の反対側に袋状のベルト１８を閉じるステッチ７が設けられている。ベルト１８の金具１５及び金具１７の設けられた反対側には、裏面が凸型の金具１７が設けられ、金具１７の金具１６に対向する側にベルト１８を閉じるステッチ８が設けられている。ステッチ７とステッチ８とで閉じられた空間に可撓性の材料、図８では形状保持プラスチック線材からなる平面状の形状の部材９が設けられている。尚、可撓性の材料としては、実施例１で例示した材料を用いることができる。【００１８】  図９は従来のベルト４０に実施例３のベルト１８が装着された状態の図８の丸で囲った部分のＡ−Ａ‘の断面を示す図である。傘の骨を覆い、雨を遮蔽する布２にステッチ３０により固定され元からのベルト３０の表面が凹型の金具に、実施例３で説明したベルト１８がベルト１８に設けられた裏面が凸型の金具により固定されている。
【実施例４】
【００１９】  図１０は、本発明の実施例４を示す図である。実施例４は、実施例３の金具が用いられたベルト１８に対し、マジックテープが用いられた従来の傘に本発明のベルトが装着できるベルトである。実施例４のベルト１８は、袋状のベルト１８の一方の端部の表面側と裏面側とにマジックテープ１３及びマジックテープ１５が配され、もう一方の端部の裏面側にマジックテープ１４が設けられている。袋状のベルト１８の一端がステッチ１３により閉じられている。ベルト１８の中にはＵ字型の形状をした針金６が配されている。尚、可撓性の材料としては、実施例１で例示した材料を用いることができる。【００２０】  裏Ａと裏Ｂとでマジックテープ１５の位置が異なっているのは、傘に元から装着されているベルトに設けられているマジックテープの位置の違いによる。図１１は傘の骨を覆い、雨を遮蔽する布２に設けられたベルト４０上に設けられたマジックテープ６０がベルト４０と傘の骨を覆い、雨を遮蔽する布２とを固定するスッテ３に近いところに配されている場合は図１０の裏Ａのようにステッチ３に近い位置にマジックテープ１５が配され、ステッチ３から遠い位置にマジックテープ６０が配されている場合は、裏Ｂのようにステッチ３から離れた位置にマジックテープ１５を配することが好ましい。理由は、ステッチ３から遠い位置にマジックテープ６０が配されている場合裏Ａのようにスッテチ３に近い所にマジックテープ１５を配した場合、新たに設けたベルト１８から、古いベルト４０が見えてしまうからである。
【実施例５】
【００２１】  実施例５は、実施例１を変形したものである。実施例１では、袋状のベルトの中に可撓性の部材である針金を挿入した例を示した。本実施例５を、図１２を用いて説明する。一端が開放された袋状の部材２２は開放端の反対側で傘の骨を覆い、雨を遮蔽する布（不図示）とステッチ３により固定され、ステッチ３と隣接して表面が凹型の金具４が形成され、表面が凹型の金具４のステッチ３の反対側はステッチ７により袋状の部材２２が閉じられている。一方、一端が開放された袋状の部材２３は、開放端の反対側に隣接して裏側が凸型の金具５が形成され、金型５の開放端側はステッチ８により閉じられている。袋状の部材２１と２２とは開放端で対面し、袋状の部材２２と２３との開放された部分に針金の表面に布を巻き付けた部材２０が３本平行に固定されたベルト２４である。固定方法は、接着剤あるいは布同士を縫い合わせることで行うことができる。本実施例では針金の表面に布を巻き付けた部材２０が３本の例を示したが、１本でも２本でも更に３本以上であっても問題はない。針金に布を巻き付けた例を示したが他の可撓性材料であって同様の方法で行えることは言うまでもない。更に、図１２では針金の表面に布を巻き付けた部材２０が平行の例を示したが、針金の表面に布を巻き付けた部材２０をより合わせたものであっても良い。
【実施例６】
【００２２】  図１３は、本発明の実施例６である。本発明のベルトを実施例１のベルトを用いて説明する。ステッチ７と８の間の可撓性材料が挿入されている部分のベルト１の表面にラメ２５を配したものである。ラメに変えてビーズ・布・リボンを用いて飾りを行ったものである。可撓性部材を配しているので、ベルト１のこの部分はいろいろな形状にすることが可能であり。例えば、図１３に示すように輪にしたり、ハート型、リボン型等任意の形状にすることができる。この様にすることで雨の日に傘でおしゃれをすることが可能となる。尚、ここまですべて雨用の傘で説明をしてきたが、日傘に対しても適用できることは言うまでもない。実施例５は日傘に適用したほうがより適合しているといえる。
【発明の効果】
【００２３】  本発明のベルトは、傘をまとめるベルトの留め具と留め具との間に可撓性の材料を用いたことで、傘をさす際にもベルトが曲がって傘からベルトが垂れるようなことがなくなる。更に、留め具と留め具との間に可撓性の材料が使われているので、傘をさす際に、ベルトを任意の形状に曲げることができ、ベルトの表面にラメ・ビーズ等を配することで飾りとしての機能も有するという利点がある。
【産業上の利用可能性】
【００２４】  本発明のベルトは、傘をまとめるベルトの留め具と留め具との間に可撓性の材料を用いることでベルトが傘から垂れるようなことがなくなるという利点がある。
【符号の説明】
【００２５】１    ベルト
２    傘の骨を覆い、雨を遮蔽する布
３    ステッチ
４    凹型の金具
５    凸型の金具
６    針金
７    ステッチ
８    ステッチ
９    形状保持プラスチック線材からなる平面状の形状の部材
１０  針金
１２  ビニールチユーブ
１３  マジックテープ
１４  マジックテープ
１５  凸型の金具
１６  凹型の金具
１７  凸型の金具
１８  ベルト
２０  針金の表面に布を巻き付けた部材
２１  ラメ
２１  袋状の部材
４０  元から傘についているベルト
５０  凹型の金具
６０  マジックテープ
【図１】
2019098131.tif 000003
【図２】
2019098131.tif 000004
【図３】
2019098131.tif 000005
【図４】
2019098131.tif 000006
【図５】
2019098131.tif 000007
【図６】
2019098131.tif 000008
【図７】
2019098131.tif 000009
【図８】
2019098131.tif 000010
【図９】
2019098131.tif 000011
【図１０】
2019098131.tif 000012
【図１１】
2019098131.tif 000013
【図１２】
2019098131.tif 000014
【図１３】
2019098131.tif 000015
【図１４】
2019098131.tif 000016
【図１５】
2019098131.tif 000017
【図１６】
2019098131.tif 000018